(57)【要約】【課題】モジュール型の通信デバイスと従来の移動電話端末とをナビゲーション装置に同時に接続できる通信アダプタを提供する。【解決手段】通信アダプタ１は、ナビゲーション装置用インターフェース４と、無線通信モジュール用インターフェース６と、移動電話端末用インターフェース８とを具備する。さらに、インターフェース４とインターフェース６とに接続され、これらによりサポートされるデータ信号間の変換を行うアダプタ制御部３０６と、インターフェース６が有するＰＣＭインターフェース２２８に接続されるＰＣＭコーデック３０２と、アダプタ制御部３０６からの指示に応答してＰＣＭコーデック３０２又は移動電話端末用インターフェース８が有するアナログインターフェース３２２とナビゲーション装置２との間のアナログ音声接続を切り替えるアナログスイッチ３０４とを具備するように構成される。【選択図】図３
2009081773.tif 000002
【特許請求の範囲】
【請求項１】
無線通信モジュール及び移動電話端末をナビゲーション装置に接続するための通信アダプタにおいて、
ナビゲーション装置用インターフェースと、
音声インターフェース及びシリアルインターフェースを含む無線通信モジュール用インターフェースと、
アナログインターフェースを含む移動電話端末用インターフェースと、
前記ナビゲーション装置用インターフェースと前記シリアルインターフェースとに接続され、これら２つのインターフェースによりサポートされるデータ信号間の変換を行うアダプタ制御部と、
前記音声インターフェース及び前記アナログインターフェースに接続され、前記アダプタ制御部からの指示に応答して、前記音声インターフェース又は前記アナログインターフェースと前記ナビゲーション装置との間のアナログ音声接続を切り替えるアナログスイッチと、
を具備する通信アダプタ。
【発明の詳細な説明】
【技術分野】
【０００１】
本発明は、ナビゲーション装置と無線通信モジュールやＰＨＳ端末及び携帯電話端末などの移動電話端末とを接続するための通信アダプタに関する。
【背景技術】
【０００２】
現在位置の割り出しや経路探索を行うナビゲーションシステムに電話機能やインターネット接続機能を付加することにより、利便性の高いシステムを実現する提案が従来からなされている。
【０００３】
例えば、特許文献１は、カーナビゲーションシステムと自動車電話とを相互に利用して、表示装置に地図を表示させた状態から簡単なキー入力で電話の発呼を可能とし、あるいは電話番号から地図上の住所を検索できるようにする技術を提案している。
【０００４】
また、特許文献２は、無線通信回線を介してネットワークに接続し、ナビゲーション用の地図上に表示された施設が選択されると、当該施設に関連する情報をネットワークを経由して取得し、取得した情報を表示部に表示するナビゲーション装置を提案している。
【特許文献１】特開平５−３０３３３５号公報
【特許文献２】特開２００６−１０６４４２号公報
【発明の開示】
【発明が解決しようとする課題】
【０００５】
しかし、上述の従来の技術におけるナビゲーション装置には、予め想定されているインターフェースに対応した移動電話端末しか接続することができない。したがって、従来の移動電話端末に組み込まれていた無線通信機能を別個の小型モジュールとして独立させたようなモジュール型の通信デバイスを既存のナビゲーション装置に接続することはできない。
【０００６】
また、異なる通信方式または移動通信事業者（以下、単に移動通信事業者という）の移動電話端末をナビゲーション装置に接続してハンズフリー通話をするためには、各端末ごとに別個の接続アダプタを用意しなければならない。
【課題を解決するための手段】
【０００７】
本発明の通信アダプタは、無線通信モジュール及び移動電話端末をナビゲーション装置に接続することを可能とし、上述の課題を解決するものである。当該通信アダプタは、ナビゲーション装置用インターフェースと、音声インターフェース及びシリアルインターフェースを含む無線通信モジュール用インターフェースと、アナログインターフェースを含む移動電話端末用インターフェースとを具備する。さらに、通信アダプタは、ナビゲーション装置用インターフェースとシリアルインターフェースとに接続され、これら２つのインターフェースによりサポートされるデータ信号間の変換を行うアダプタ制御部と、音声インターフェース及びアナログインターフェースに接続され、アダプタ制御部からの指示に応答して音声インターフェース又はアナログインターフェースとナビゲーション装置との間のアナログ音声接続を切り替えるアナログスイッチとを具備するように構成される。
【発明の効果】
【０００８】
本発明によれば、ナビゲーション装置が本来想定していなかったモジュール型の通信デバイスをナビゲーション装置に接続して通信を行うことが可能となる。
【０００９】
また、単一の通信アダプタにより、異なる移動通信事業者の移動電話端末をナビゲーション装置に接続することが可能となる。ナビゲーション装置が本来サポートしていない移動電話端末であっても、これをナビゲーション装置に接続して、ハンズフリーで着信を受けることができる。
【００１０】
さらに、本発明によれば、単一の通信アダプタを用いてモジュール型の通信デバイスと移動電話端末とをナビゲーション装置に接続することができ、これら通信デバイス及び電話端末の間の切り替えを必要に応じて自動的に行うことが可能となる。
【発明を実施するための最良の形態】
【００１１】
以下、本発明のナビゲーション装置用通信アダプタについて説明する。なお、実施形態として無線通信モジュールを具備した例として説明するが、本発明はこれに限定されるものではない。
【００１２】
本実施形態のナビゲーション装置用通信アダプタを用いてナビゲーション装置と無線通信モジュール及び移動電話端末を接続する様子を図１に示す。通信アダプタ１は、専用コネクタ３を介したナビゲーション装置２との接続のためのインターフェース４と、無線通信モジュール５との接続のためのインターフェース６と、移動電話端末７用のインターフェース８とを具備する。通信アダプタ１への給電は、通常、インターフェース４を介してナビゲーション装置２からなされる。しかし、この経路での給電が不足する場合を想定して、通信アダプタ１は、自動車に備え付けられているシガーソケット９からの給電のためのインターフェース１０を具備してもよい。また、通信アダプタ１は、ＬＥＤなどの表示デバイス１１を具備してもよい。
【００１３】
以下、本明細書においては、ナビゲーション装置２がＩＭＴ−２０００規格に準拠した移動電話端末と接続可能な従来のナビゲーション装置であり、インターフェース４はこのようなナビゲーション装置との接続のための標準的なインターフェース（例えば、ＭＣＰＣ  ＧＬ−００４準拠、ＡＲＩＢ  ＴＲ−Ｔ１２−２７．Ａ０１準拠など）と仮定して説明する。しかしながら、本発明はこのような構成に限定されない。ナビゲーション装置２がＩＭＴ−２０００以外の他の通信方式をサポートしている場合には、インターフェース４を当該通信方式に対応するように構成すればよい。
【００１４】
無線通信モジュール５は、従来のＰＨＳ端末や携帯電話端末の内部に組み込まれていた無線通信機能を別個の小型モジュールとして独立させたものである。無線通信モジュール５の構成の一例を図２に示す。無線通信モジュール５は、アンテナ２０２、アンテナ・スイッチ２０４、送信部２０６及び受信部２０８、変調部２１０及び復調部２１２、時分割多元接続（ＴＤＭＡ）符号化部２１４及びＴＤＭＡ復号化部２１６、ＡＤＰＣＭトランスコーダなどの音声用トランスコーダ２１８、モジュール制御部２２０、記憶部２２２、電源２２４及びインターフェース部２２６からなる。アンテナ・スイッチ２０４、送信部２０６及び受信部２０８、変調部２１０及び復調部２１２、ＴＤＭＡ符号化部２１４及びＴＤＭＡ復号化部２１６は、無線通信モジュール５の無線通信機能に関わる無線通信回路を構成する。この構成は一例に過ぎず、無線通信モジュール５は、従来の移動電話端末における無線通信部と同等の機能をもつ無線通信回路を具備していればよい。無線通信モジュール５は記憶部２２２に自身の固有の電話番号及び端末機器番号、ならびに電話帳データを格納する。
【００１５】
データ通信及び音声通信を可能とするため、無線通信モジュール５のインターフェース２２６は、例えば、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）シリアルインターフェース２３０と、音声信号用のＰＣＭインターフェース２２８とを具備し、さらに無線通信モジュール５への電源供給用のインターフェース２３２を具備する。インターフェース２２６は、無線通信モジュール５の挿入を認識するために使用される信号線及び通信アダプタ１の表示デバイス１１に電界強度表示を行うための信号線を具備してもよい。
【００１６】
無線通信モジュール用インターフェース６は、例えば図１に示すように、通信アダプタ１に設けられたスロット内に構成される。当該スロットに無線通信モジュール５を挿入して、無線通信モジュール５のインターフェース２２６と通信アダプタ１のインターフェース６とを接続することにより、通信アダプタ１は無線通信モジュール５と接続される。
【００１７】
移動電話端末７は従来のＰＨＳ端末や携帯電話端末である。以下、本明細書において、インターフェース８は標準的な４極平型コネクタであると仮定して説明する。これにより、本発明の通信アダプタ１は移動電話端末７の機種に依存することなく接続が可能である。但し、通信アダプタ１の構成はこれに限定されない。別の構成として、インターフェース８は、ブルートゥース（商標）規格に準拠した無線方式のインターフェースであってもよい。
【００１８】
図１の接続状態における各構成要素の内部構成を図３に示す。通信アダプタ１は、ナビゲーション装置用インターフェース（ここでは、ＩＭＴ−２０００規格準拠のインターフェース）４、無線通信モジュール用インターフェース６、移動電話端末用インターフェース（ここでは、平型コネクタ）８、ＰＣＭコーデック３０２、アナログスイッチ３０４、アダプタ制御部３０６及び電源回路３０８を具備する。通信アダプタ１は、さらに自動車のシガーソケット９からの給電のためのインターフェース１０やＬＥＤなどの表示デバイス１１を具備してもよい。
【００１９】
アダプタ制御部３０６による通信アダプタ１内の制御は、ＯＳ等を具備することにより各種インターフェースやデバイスをコントロールすることにより行われる。無線通信モジュール５と通信アダプタ１との間でのコマンドなどのデータ信号のやり取りに際しては、アダプタ制御部３０６は、ＵＳＢ形式のデータ信号をシリアルインターフェース２３０に適合する形式に変換する。また、ナビゲーション装置２と通信アダプタ１との間でのデータ信号のやり取りに際しては、アダプタ制御部３０６は、各種コマンドなどのデータ信号をＩＭＴ−２０００準拠の形式に変換してナビゲーション装置２に送信するように動作する。
【００２０】
無線通信モジュール５と通信アダプタ１との間での音声信号のやり取りはＰＣＭインターフェースを介して行われ、移動電話端末７と通信アダプタ１との間での音声信号のやり取りは、平型コネクタ８を介したアナログインターフェースにより行われる。通信アダプタ１においてこれらの音声信号のインターフェースの変換を行うため、通信アダプタ１はＰＣＭコーデック３０２を具備する必要がある。
【００２１】
アナログスイッチ３０４は、アダプタ制御部３０６からの指示に従い、音声の経路を切り替えるものである。これにより、無線通信モジュール５と移動電話端末７との間での切り替えを行う。したがって、通信アダプタ１を介して、選択的に、ナビゲーション装置２と無線通信モジュール５とを接続したり、ナビゲーション装置２と移動電話端末７とを接続したりすることができる。後述するように、アダプタ制御部３０６は、無線通信モジュール５及び移動電話端末７の挙動をみて、いずれに接続すべきかを判断してアナログスイッチ３０４に指令を出す。例えば、無線通信モジュール５が通信をしていない状況で且つ携帯電話端末７に着信があったことを検知すると、アダプタ制御部３０６はアナログスイッチ３０４を平型コネクタ８側に切り替える。
【００２２】
電源回路３０８は、ナビゲーション装置用インターフェース４及び自動車に備え付けのシガーソケット９に接続される。通常はナビゲーション装置用インターフェース４を介してナビゲーション装置２から電源回路３０８へと電源が供給されるが、何らかの理由で当該電源供給が不十分な場合、電源回路３０８はシガーソケット９から電源供給を得る。
【００２３】
ナビゲーション装置２は、制御部３１２、表示部３１４、キーパッドやリモコンなどの操作部３１６、マイク３１８及びスピーカ３２０を具備する。
【００２４】
図３の無線通信モジュール５において、無線通信回路２００は、図２におけるアンテナ・スイッチ２０４、送信部２０６及び受信部２０８、変調部２１０及び復調部２１２、ＴＤＭＡ符号化部２１４及びＴＤＭＡ復号化部２１６を簡略化して表したものであり、従来の移動電話端末における無線通信部に対応する。通信アダプタ１のＰＣＭコーデック３０２はＰＣＭインターフェース２２８を介して無線通信モジュール５の音声用トランスコーダ２１８と接続される。アダプタ制御部３０６はシリアルインターフェース２３０を介してモジュール制御部２２０と接続され、さらに電源供給用のインターフェース２３２を介して電源２２４と接続される。なお、２０２はアンテナである。
【００２５】
無線通信モジュール５を用いた近隣の基地局との通信は以下のように行われる。通信アダプタ１のＰＣＭコーデック３０２において符号化された音声データはＰＣＭインターフェース２２８を介して無線通信モジュール５の音声用トランスコーダ２１８へ入力され、例えば、ＡＤＰＣＭ変調されたデータへと変換される。音声用トランスコーダ２１８の出力信号は無線通信回路２００内のＴＤＭＡ符号化部２１４においてＴＤＭＡ用ベースバンド信号に符号変換され、さらに変調部２１０及び送信部２０６において例えば１．９ＧＨｚ帯の変調波に変換され、アンテナ・スイッチ２０４及びアンテナ２０２を介して基地局へと無線送信される。一方、アダプタ制御部３０６から送信されるデータ信号は、シリアルインターフェース２３０を介して無線通信モジュール５のモジュール制御部２２０に入力される。当該データ信号はＴＤＭＡ符号化部２１４に入力され、以降は音声信号と同様にして変調部２１０、送信部２０６、アンテナ・スイッチ２０４及びアンテナ２０２を介して基地局へと無線送信される。
【００２６】
基地局から送信された無線信号は、アンテナ２０２で受信され、アンテナ・スイッチ２０４により受信部２０８へと入力される。この受信信号（例えば、１．９ＧＨｚ帯）は、受信部２０８において増幅及び周波数変換され、ついで復調部２１２でＴＤＭＡベースバンド信号に復調された後、ＴＤＭＡ復号化部２１６により、音声信号（例えば、ＡＤＰＣＭ音声信号）又はデータ信号が得られる。ＡＤＰＣＭ音声信号は音声用トランスコーダ２１８へ入力されてＰＣＭ音声信号へ変換される。ＰＣＭ音声信号は、ＰＣＭインターフェース２２８を介して通信アダプタ１のＰＣＭコーデック３０２に入力され、アナログ信号に変換される。一方、データ信号は、ＴＤＭＡ復号化部２１６からモジュール制御部２２０へと入力され、シリアルインターフェース２３０を介して通信アダプタ１のアダプタ制御部３０６へ入力される。
【００２７】
移動電話端末７は、平型コネクタ８を介して通信アダプタ１のアナログスイッチ３０４及びアダプタ制御部３０６と接続される。より詳細には、移動電話端末７は、アナログインターフェース３２２を介してアナログスイッチ３０４との間でアナログ音声のやり取りを行う。アダプタ制御部３０６との間のインターフェース３２４は、移動電話端末７がオンフック及びオフフックのいずれであるかを示す信号をアダプタ制御部３０６に通知したり、移動電話端末７のオンフック及びオフフックのための制御信号をアダプタ制御部３０６から送信したりするために使用される。
【００２８】
図１の構成と外部の通信網との接続の様子を模式的に図４に示す。無線通信モジュール５及び移動電話端末７は、近隣の基地局４０４との間で無線通信を行う。基地局４０４は公衆電話回線網やインターネットなどのネットワーク４０２に接続されており、ネットワーク４０２は、中央局４０６及びオペレータセンター４０８を具備している。
【００２９】
なお、ネットワーク４０２は１つではなく、複数のネットワークにつながるようにしてもよい。
【００３０】
また、位置登録を行うサーバーとナビゲーション情報（例えば、渋滞情報）を格納するサーバーとは通常別に設けられるものであるが、本実施形態においては説明の都合上、中央局４０６として記載し説明する。
【００３１】
図４のシステム４００における本発明の通信アダプタ１の動作につき以下に説明する。まず、通信アダプタ１とナビゲーション装置２との間の接続動作のシーケンスを図５に示す。無線通信モジュール５は通信アダプタ１のスロットに挿入され、インターフェース６により既に接続されているものとする。なお、図４において、無線通信モジュール５と移動電話端末７は同じ基地局に接続するように記載しているが、無線通信モジュール５と移動電話端末７とは通信方式や移動通信事業者が異なれば基地局も異なるものとなる。本実施形態では便宜上同じ通信方式あるいは移動通信事業者として説明する。
【００３２】
既に述べたように、本実施例においてナビゲーション装置２はＩＭＴ−２０００方式の移動電話端末と接続可能な既存のナビゲーション装置であり、無線通信モジュール５との接続は本来サポートしていない。本来想定されていなかった通信装置である無線通信モジュール５をナビゲーション装置２に対して接続するために、本発明の通信アダプタ１は、ＩＭＴ−２０００方式の移動電話端末が接続されたものとナビゲーション装置２に認識させるための初期化シーケンスを実行するように構成されている。
【００３３】
インターフェース４を介して通信アダプタ１をナビゲーション装置２に接続すると（５０２）、ナビゲーション装置２の制御部３１２は当該接続を検知する（５０４）。制御部３１２は、接続された機器の情報を要求するＡＴコマンドを通信アダプタ１のアダプタ制御部３０６に対して送信する（５０６）。当該要求は、ナビゲーション装置２の種類（例えば、ＤＶＤタイプかハードディスクタイプか）によって異なる形式があるので、アダプタ制御部３０６はナビゲーション装置２の種類を判別する（５０８）。
【００３４】
続いて、アダプタ制御部３０６は無線通信モジュール５の初期化を行う。具体的には、無線通信モジュール５の電源を投入し（５１０）、モジュール制御部２２０に指示して中央局に対する位置登録手続を行う（５１２）。位置登録が完了すると、アダプタ制御部３０６は、ＩＭＴ−２０００方式の移動電話端末が接続されたことをナビゲーション装置２に通知するための所定の情報を制御部３１２に送信する（５１４）。当該所定の情報の内容には特に制限はなく、ナビゲーション装置２が自身に接続された通信アダプタ１をＩＭＴ−２０００方式の移動電話端末であると認識するのに必要な情報であればよい。この結果、ナビゲーション装置２の制御部３１２は、通信アダプタ１をＩＭＴ−２０００方式の移動電話端末として認識した旨の応答をアダプタ制御部３０６に返す（５１６）。この応答を受けて通信アダプタ１は待ち受け状態に移行する（５１８）。
【００３５】
アダプタ制御部３０６は、無線通信モジュール５のモジュール制御部２２０から基地局４０４からの受信信号の電界強度の情報を取得して、表示デバイス１１などを介して電界強度の表示を行う（５２０）。さらに、アダプタ制御部３０６は、当該電界強度に関するデータ信号をＩＭＴ−２０００方式によるデータ信号信号に変換してナビゲーション装置２の制御部３１２に通知する（５２２）。制御部３１２は通知された電界強度を表示部３１４などを介して表示する（５２４）。
【００３６】
移動電話端末７の接続動作のシーケンスを図６に示す。図５のシーケンスの完了後、通信アダプタ１に対して電源が供給されている状態において、移動電話端末７を平型コネクタ８に接続すると（６０２）、アダプタ制御部３０６は当該接続を検知する（６０４）。以降、アダプタ制御部３０６は、移動電話端末７への着信の有無を監視する（６０６）。
【００３７】
本発明の通信アダプタ１を介して無線通信モジュール５を用いてナビゲーション装置２から中央局４０６への接続を行い、所望の情報（例えば、渋滞情報）の取得を行う際のシーケンスを図７に示す。図７においては簡略化のため基地局４０４が省略されている。
【００３８】
ユーザは、ナビゲーション装置２の操作部３１６にある接続ボタンを押下する（７０２）。あるいは、操作部３１６を操作してメニュー画面を表示部３１４に表示させ、当該メニュー画面から所望のメニューを選択してもよい。この動作を検知した制御部３１２は、アダプタ制御部３０６に対して接続要求のためのＡＴコマンドを送信する（７０４）。アダプタ制御部３０６は、受信したＩＭＴ−２０００形式の接続要求コマンドを無線通信モジュール５とのシリアルインターフェース２３０がサポートする形式のコマンドに変換してモジュール制御部２２０に送る。これに応答して、モジュール制御部２２０は中央局４０６に接続要求を送信する（７０６）。中央局４０６は無線通信モジュール５について認証作業を行い（７０８）、認証が成功した場合には接続許可を無線通信モジュール５に送信する（７１０）。モジュール制御部２２０は接続許可を受信し（７１２）、これにより無線通信モジュール５と中央局４０６との通信接続が確立される。モジュール制御部２２０は受信した接続許可をアダプタ制御部３０６に送り、アダプタ制御部３０６は当該接続許可に関するデータ信号をＩＭＴ−２０００形式に変換して（７１２）、ナビゲーション装置２の制御部３１２に通知する（７１４）。制御部３１２は接続許可を受信し（７１６）、所望の情報（ここでは、渋滞情報）のリクエストを、通信アダプタ１及び無線通信モジュール５を介して中央局４０６に送信する（７１８）。ここで、制御部３１２がリクエストの送信を自動的に行ってもよく、また、制御部３１２が表示部３１４などを介してユーザにメニュー選択を促し、ユーザによる選択に対応するリクエストを制御部３１２が送信してもよい。より詳細には、制御部３１２は当該リクエストをＩＭＴ−２０００形式でアダプタ制御部３０６に送り、アダプタ制御部３０６はこれをシリアルインターフェース２３０がサポートする形式に変換してモジュール制御部２２０に送り、モジュール制御部２２０は、無線通信回路２００及びアンテナ２０２を介して当該リクエストを中央局４０６に送信する。中央局４０６は、当該リクエストを受信すると（７２０）、該当する情報を取得して、無線通信モジュール５及び通信アダプタ１を介してナビゲーション装置２に送信する（７２２）。ナビゲーション装置２の制御部３１２は、受信した情報を表示部３１４に表示したり、スピーカ３２０を介して音声により出力したり、当該情報に基づいてリルート動作を開始したりする（７２４）。
【００３９】
本発明の通信アダプタ１を介して無線通信モジュール５を用いてナビゲーション装置２からオペレータセンター４０８への接続を行い、音声通話を行う際のシーケンスを図８に示す。図８においては簡略化のため基地局４０４が省略されている。
【００４０】
ユーザがナビゲーション装置２の操作部３１６にある通話ボタン（オペレータセンターへの接続ボタン）を押下すると（８０２）、ナビゲーション装置２の制御部３１２は、アダプタ制御部３０６に対して接続要求のためのＡＴコマンドを送信する（８０４）。アダプタ制御部３０６は、受信したＩＭＴ−２０００形式の接続要求に関するデータ信号を無線通信モジュール５とのシリアルインターフェース２３０に対応した形式のコマンドを表すデータ信号に変換してモジュール制御部２２０に送る。これに応答して、モジュール制御部２２０はオペレータセンター４０８へ接続を試みる（８０６）。これを受けてオペレータセンター４０８は着信応答を送信し（８０８）、無線通信モジュール５のモジュール制御部２２０は当該着信応答を受信する（８１０）。モジュール制御部２２０は受信した着信応答をアダプタ制御部３０６に送り、アダプタ制御部３０６は当該着信応答をＩＭＴ−２０００形式のデータ信号に変換して（８１０）、ナビゲーション装置２の制御部３１２に通知する（８１２）。制御部３１２は着信応答を受信し（８１４）、ナビゲーション装置２の音声回路（マイク３１８及びスピーカ３２０）を起動する（８１６）。一方、着信応答を受信したアダプタ制御部３０６もまた、ＰＣＭコーデック３０２を起動する（８１８）。これにより、通信アダプタ１とナビゲーション装置２との間の音声回路接続が確立され、無線通信モジュール５及び通信アダプタ１を介した、ナビゲーション装置２とオペレータセンター４０８との間での音声通話が可能となる（８２０）。
【００４１】
一方、無線通信モジュール５及び通信アダプタ１を介してナビゲーション装置２により音声通話を受信する場合には、図８のシーケンスと逆の動作を行うことになる。すなわち、電話網側からの接続要求が無線通信モジュール５において受信され、モジュール制御部２２０は、これをシリアルインターフェース２３０に適した形式にしてアダプタ制御部３０６へ送る。アダプタ制御部３０６は当該接続要求をＩＭＴ−２０００形式のデータ信号に変換してナビゲーション装置２の制御部３１２に送信する。その後、通信アダプタ１及びナビゲーション装置２の間での音声回路接続が確立され、制御部３１２からの着信応答が通信アダプタ１及び無線通信モジュール５を介して電話網側へ通知されることにより、音声通話が可能となる。
【００４２】
移動電話端末７への着信があった際に、本発明の通信アダプタ１を介してナビゲーション装置２によるハンズフリー通話を行う際のシーケンスを図９に示す。
【００４３】
電話網から移動電話端末７への呼び出しがあると（９０２）、移動電話端末７は呼び出し音を発し、呼び出しを通知する信号を平型コネクタ８を介してアダプタ制御部３０６に送信する（９０４）。アダプタ制御部３０６は当該通知を検知し、これをＩＭＴ−２０００形式の呼び出しコマンドに変換して（９０６）、ナビゲーション装置２の制御部３１２に送信する（９０８）。制御部３１２は当該呼び出しコマンドを受信する（９１０）。アダプタ制御部３０６は、アナログスイッチ３０４を平型コネクタ８側に切り替える（９１２）。これにより、移動電話端末７とナビゲーション装置２との間の音声回路が確立され、移動電話端末７の呼び出し音（９１４）が、平型コネクタ８及びアナログスイッチ３０４を介してナビゲーション装置２の制御部３１２に伝達され（９１６）、スピーカ３２０から出力される（９１８）。ユーザが操作部３１６の受話ボタンを押下すると（９２０）、制御部３１２は受話コマンドをアダプタ制御部３０６に通知し（９２２）、これが移動電話端末７のオフフック制御信号へと変換されて（９２４）移動電話端末７へ通知され（９２６）、移動電話端末７がオフフックされて、ハンズフリーでの通話が開始される（９２８）。
【００４４】
本発明の通信アダプタ１を介してナビゲーション装置２によるハンズフリー通話を行う際の発呼動作のシーケンスを図１０に示す。以下、「受話ボタン」は、上記着信時に使用される受話ボタンと同一のボタンを意味し、これを押すことにより、通信アダプタ１を介して移動電話端末７のオンフック／オフフックの切り替えを行うことができる。
【００４５】
ユーザが移動電話端末７の発信ボタンを押下するなどして、所定の相手方端末に対して発呼動作を行うと（１００２）、音声信号（ここでは、発信音）の存在が平型コネクタ８を介してアダプタ制御部３０６へ通知される（１００４）。アダプタ制御部３０６は、音声信号を検知して、ＩＭＴ−２０００形式の呼び出しコマンドを生成し（１００６）、当該呼び出しコマンドを制御部３１２に通知する（１００８）。制御部３１２は当該呼び出しコマンドを受信する（１０１０）。アダプタ制御部３０６は、アナログスイッチ３０４を平型コネクタ８側に切り替える（１０１２）。これにより、移動電話端末７とナビゲーション装置２との間の音声回路が確立され、移動電話端末７の発信音（１０１４）が、平型コネクタ８及びアナログスイッチ３０４を介してナビゲーション装置２の制御部３１２に伝達され（１０１４）、スピーカ３２０から出力される（１０１６）。ユーザが操作部３１６の受話用のボタンを押下すると（１０１８）、制御部３１２は受話コマンドをアダプタ制御部３０６に通知し（１０２０）、これが移動電話端末７のオフフック制御信号へと変換されて（１０２２）移動電話端末７へ通知され（１０２４）、移動電話端末７がオフフックされて、ハンズフリーでの通話が開始される（１０２６）。
【００４６】
本明細書においては、図２に示すような構成の無線通信モジュール５を通信アダプタ１に挿入して使用することを前提として説明を行った。しかし、データ通信に使用される無線ＬＡＮカードなど、無線通信モジュール５とは異なる構成のデバイスを適用できるように本発明の通信アダプタ１を構成できることは、当業者にとって明らかである。
【００４７】
また、移動電話端末７と通信アダプタ１との接続は、一般的な平型コネクタ８による優先接続であるとの前提のもとに説明を行った。しかし、平型コネクタ８に代えて、例えばブルートゥース規格に準拠した近距離無線通信用インターフェースを具備するように通信アダプタ１を構成してもよい。
【図面の簡単な説明】
【００４８】
【図１】本発明の通信アダプタを用いてナビゲーション装置と無線通信モジュール及び移動電話端末とを接続する様子を示す図である。
【図２】無線通信モジュールの構成の一例を示す図である。
【図３】図１の接続状態における各構成要素の内部構成を示す図である。
【図４】図１の構成と外部の通信網との接続の様子を模式的に示す図である。
【図５】通信アダプタとナビゲーション装置との間の接続動作のシーケンスを示す図である。
【図６】移動電話端末の接続動作のシーケンスを示す図である。
【図７】通信アダプタを介して無線通信モジュールを用いてナビゲーション装置から中央局への接続を行い、所望の情報の取得を行う際のシーケンスを示す図である。
【図８】通信アダプタを介して無線通信モジュールを用いてナビゲーション装置からオペレータセンターへの接続を行い、音声通話を行う際のシーケンスを示す図である。
【図９】移動電話端末への着信があった際に、通信アダプタを介してナビゲーション装置によるハンズフリー通話を行う際のシーケンスを示す図である。
【図１０】通信アダプタを介してナビゲーション装置によるハンズフリー通話を行う際の発呼動作のシーケンスを示す図である。
【符号の説明】
【００４９】
１  通信アダプタ
２  ナビゲーション装置
３  専用コネクタ
４  ナビゲーション装置用インターフェース
５  無線通信モジュール
６  無線通信モジュール用インターフェース
７  移動電話端末
８  移動電話端末用インターフェース
９  シガーソケット
１０  給電用インターフェース
１１  表示デバイス
２０２  アンテナ
２２６  インターフェース部
２２８  ＰＣＭインターフェース
２３０  シリアルインターフェース
２３２  電源供給用インターフェース
３２２  アナログインターフェース
３２４  オンフック／オフフック信号用インターフェース
【図１】
2009081773.tif 000003
【図２】
2009081773.tif 000004
【図３】
2009081773.tif 000005
【図４】
2009081773.tif 000006
【図５】
2009081773.tif 000007
【図６】
2009081773.tif 000008
【図７】
2009081773.tif 000009
【図８】
2009081773.tif 000010
【図９】
2009081773.tif 000011
【図１０】
2009081773.tif 000012